(57)【要約】【課題】一部の情報に変更が生じた場合に当該情報に関係する情報を簡易に整合させることのできる建物情報連携装置、建物情報連携方法及び建物情報連携プログラムを得る。【解決手段】ハードディスク２８に予め記憶された建物の設計に関する情報である設計情報と、前記設計情報に関係する情報であり、かつ前記建物の施工に関する情報である施工情報の何れか一方の変更指示を変更内容と共にキーボード１４等を介して入力し、ＣＰＵ２２により、入力した変更指示により変更対象とされている設計情報及び施工情報の何れか一方の情報を当該変更指示と共に入力された変更内容に応じて変更する一方、入力した変更指示により変更対象とされている設計情報及び施工情報の他方の情報で、かつ当該変更指示による変更に連動して変更する必要のある変更対象情報を特定し、特定した変更対象情報の変更後の情報を導出して、導出した情報に前記変更対象情報を変更する。【選択図】図２
2008009845.tif 000002
【特許請求の範囲】
【請求項１】
建物の設計に関する情報である設計情報と、前記設計情報に関係する情報であり、かつ前記建物の施工に関する情報である施工情報が予め記憶された記憶手段と、
前記設計情報及び前記施工情報の何れか一方の変更指示を変更内容と共に入力する入力手段と、
前記入力手段によって前記変更指示が入力された場合に、当該変更指示により変更対象とされている前記設計情報及び前記施工情報の何れか一方の情報を当該変更指示と共に入力された前記変更内容に応じて変更する指示変更手段と、
前記入力手段によって前記変更指示が入力された場合に、当該変更指示により変更対象とされている前記設計情報及び前記施工情報の他方の情報で、かつ当該変更指示による変更に連動して変更する必要のある変更対象情報を特定する特定手段と、
前記特定手段により特定された変更対象情報の変更後の情報を導出する導出手段と、
前記導出手段によって導出された情報に前記変更対象情報を変更する連動変更手段と、
を備えた建物情報連携装置。
【請求項２】
前記記憶手段は、前記変更指示による変更に連動した前記変更対象情報に対する変更手順を示す変更手順情報が更に予め記憶されたものであり、
前記導出手段は、前記変更手順情報に基づいて前記変更後の情報を導出する
請求項１記載の建物情報連携装置。
【請求項３】
前記設計情報及び前記施工情報の少なくとも一方は、前記建物を構成する画像を示す建物画像情報及び前記建物を建築する際に用いる資機材の画像を示す資機材画像情報の少なくとも一方を含む
請求項１又は請求項２記載の建物情報連携装置。
【請求項４】
前記建物画像情報及び前記資機材画像情報は、３次元画像情報である
請求項３記載の建物情報連携装置。
【請求項５】
前記施工情報は、前記建物を建築する際の工程を示す工程情報を含む
請求項１乃至請求項４の何れか１項記載の建物情報連携装置。
【請求項６】
前記連動変更手段により変更された前記設計情報又は前記施工情報に基づいて、変更後の前記建物の状態を示す状態情報を表示する表示手段
を更に備えた請求項１乃至請求項５の何れか１項記載の建物情報連携装置。
【請求項７】
前記表示手段は、前記変更指示及び前記変更内容を入力するための予め定められた画像を更に表示するものである
請求項６記載の建物情報連携装置。
【請求項８】
記憶手段に予め記憶された建物の設計に関する情報である設計情報と、前記設計情報に関係する情報であり、かつ前記建物の施工に関する情報である施工情報の何れか一方の変更指示を変更内容と共に入力する入力段階と、
前記入力段階によって前記変更指示が入力された場合に、当該変更指示により変更対象とされている前記設計情報及び前記施工情報の何れか一方の情報を当該変更指示と共に入力された前記変更内容に応じて変更する指示変更段階と、
前記入力段階によって前記変更指示が入力された場合に、当該変更指示により変更対象とされている前記設計情報及び前記施工情報の他方の情報で、かつ当該変更指示による変更に連動して変更する必要のある変更対象情報を特定する特定段階と、
前記特定段階により特定された変更対象情報の変更後の情報を導出する導出段階と、
前記導出段階によって導出された情報に前記変更対象情報を変更する連動変更段階と、
を有する建物情報連携方法。
【請求項９】
前記設計情報及び前記施工情報の少なくとも一方は、前記建物を構成する画像を示す建物画像情報及び前記建物を建築する際に用いる資機材の画像を示す資機材画像情報の少なくとも一方を含む
請求項８記載の建物情報連携方法。
【請求項１０】
記憶手段に予め記憶された建物の設計に関する情報である設計情報と、前記設計情報に関係する情報であり、かつ前記建物の施工に関する情報である施工情報の何れか一方の変更指示を変更内容と共に入力する入力ステップと、
前記入力ステップによって前記変更指示が入力された場合に、当該変更指示により変更対象とされている前記設計情報及び前記施工情報の何れか一方の情報を当該変更指示と共に入力された前記変更内容に応じて変更する指示変更ステップと、
前記入力ステップによって前記変更指示が入力された場合に、当該変更指示により変更対象とされている前記設計情報及び前記施工情報の他方の情報で、かつ当該変更指示による変更に連動して変更する必要のある変更対象情報を特定する特定ステップと、
前記特定ステップにより特定された変更対象情報の変更後の情報を導出する導出ステップと、
前記導出ステップによって導出された情報に前記変更対象情報を変更する連動変更ステップと、
をコンピュータに実行させる建物情報連携プログラム。
【請求項１１】
前記設計情報及び前記施工情報の少なくとも一方は、前記建物を構成する画像を示す建物画像情報及び前記建物を建築する際に用いる資機材の画像を示す資機材画像情報の少なくとも一方を含む
請求項１０記載の建物情報連携プログラム。
【発明の詳細な説明】
【技術分野】
【０００１】
本発明は、建物情報連携装置、建物情報連携方法及び建物情報連携プログラムに係り、より詳しくは、建物の設計に関する情報である設計情報と、前記設計情報に関係する情報であり、かつ前記建物の施工に関する情報である施工情報を連携させる建物情報連携装置、建物情報連携方法及び建物情報連携プログラムに関する。
【背景技術】
【０００２】
従来、建物の施工者は、施主、設計者との定例会議において、施工対象とする建物の仕様や納まりの確認を仕様書や設計図面をもとに行っている。この場で施工者は、施主や設計者から追加や設計変更等を求められることがある。このとき、詳細に検討する場合には、設計、構造、設備といった設計図書及び施工図、仮設図等といった多種にわたる図面を参照する必要があるため、結論を導き出すまでに多大な時間と労力を必要としていた。また、参照図面は紙面である場合が多く、そのため、設計情報の更新や変更数量の算出、変更に関連する工程や計画の調整等を迅速に行うことは著しく困難であった。
【０００３】
そこで、この問題を解決するために適用できる従来の技術として、本出願人による特許文献１には、コンピュータを使用して建築工事の施工過程と進捗状況を時系列的に３次元の画像データで出力表示して目視で確認できる施工プロセス可視化方法を提供することを目的として、施工計画モデルデータと工程データを作成し、施工計画モデルデータに含まれる部材ユニットデータの属性情報と、工程データに含まれる作業属性データの属性情報とを照合し、属性情報が一致する部材ユニットデータと作業属性データとの関連付けを行い、関連付けられた結果を３次元画像で出力表示するための３次元施工プロセスデータを作成して記憶装置に記憶格納し、３次元画像として目視可能に出力表示する技術が開示されている。
【特許文献１】特開２００５−５００９８号公報
【発明の開示】
【発明が解決しようとする課題】
【０００４】
しかしながら、上記特許文献１に開示されている技術では、施工のプロセスを表示することは可能であるものの、設計情報や施工情報の一部に変更が生じた場合には、これに関係する全ての情報を変更する必要があり、著しく手間がかかる、という問題点があった。
【０００５】
特に、建築の分野における、これら設計情報と施工情報は、多くの部分で密接に関係しているため、ごく一部の情報に変更が生じただけでも、全ての情報を整合のとれたものとするためには、多大な労力が費やされることになる。
【０００６】
本発明は上記問題点を解決するためになされたものであり、一部の情報に変更が生じた場合に当該情報に関係する情報を簡易に整合させることのできる建物情報連携装置、建物情報連携方法及び建物情報連携プログラムを提供することを目的とする。
【課題を解決するための手段】
【０００７】
上記目的を達成するために、請求項１記載の建物情報連携装置は、建物の設計に関する情報である設計情報と、前記設計情報に関係する情報であり、かつ前記建物の施工に関する情報である施工情報が予め記憶された記憶手段と、前記設計情報及び前記施工情報の何れか一方の変更指示を変更内容と共に入力する入力手段と、前記入力手段によって前記変更指示が入力された場合に、当該変更指示により変更対象とされている前記設計情報及び前記施工情報の何れか一方の情報を当該変更指示と共に入力された前記変更内容に応じて変更する指示変更手段と、前記入力手段によって前記変更指示が入力された場合に、当該変更指示により変更対象とされている前記設計情報及び前記施工情報の他方の情報で、かつ当該変更指示による変更に連動して変更する必要のある変更対象情報を特定する特定手段と、前記特定手段により特定された変更対象情報の変更後の情報を導出する導出手段と、前記導出手段によって導出された情報に前記変更対象情報を変更する連動変更手段と、を備えている。
【０００８】
請求項１記載の建物情報連携装置では、建物の設計に関する情報である設計情報と、前記設計情報に関係する情報であり、かつ前記建物の施工に関する情報である施工情報が記憶手段によって予め記憶される。なお、上記記憶手段には、ＲＡＭ（Random Access Memory）、ＥＥＰＲＯＭ（Electrically Erasable and Programmable Read Only Memory）、フラッシュＥＥＰＲＯＭ（Flash EEPROM）等の半導体記憶素子、スマート・メディア（SmartMedia（登録商標））、フレキシブル・ディスク等の可搬記録媒体やハードディスク等の固定記録媒体、或いはネットワークに接続されたサーバ・コンピュータ等に設けられた外部記憶装置が含まれる。また、上記設計情報には、設計対象とする建物を構成する部位の位置を示す情報、寸法を示す情報、仕様を示す情報等の建物の設計に関する情報が含まれる一方、上記施工情報には、施工対象とする建物を構成する部位の位置を示す情報、寸法を示す情報、仕様を示す情報、工法を示す情報、仮設に用いる資機材を示す情報等の建物の施工に関する情報が含まれる。
【０００９】
ここで、本発明では、入力手段により、前記設計情報及び前記施工情報の何れか一方の変更指示が変更内容と共に入力される一方、指示変更手段により、前記入力手段によって前記変更指示が入力された場合に、当該変更指示により変更対象とされている前記設計情報及び前記施工情報の何れか一方の情報が当該変更指示と共に入力された前記変更内容に応じて変更される。なお、上記入力手段による入力には、キーボード、ポインティング・デバイス等の入力装置を介した入力の他、ローカル・エリア・ネットワーク、インターネット、イントラネット等の通信回線を介した外部装置からの入力が含まれる。
【００１０】
そして、本発明では、特定手段により、前記入力手段によって前記変更指示が入力された場合に、当該変更指示により変更対象とされている前記設計情報及び前記施工情報の他方の情報で、かつ当該変更指示による変更に連動して変更する必要のある変更対象情報が特定され、導出手段により、前記特定手段によって特定された変更対象情報の変更後の情報が導出され、更に、連動変更手段により、前記導出手段によって導出された情報に前記変更対象情報が変更される。
【００１１】
このように、請求項１記載の建物情報連携装置によれば、記憶手段に予め記憶された建物の設計に関する情報である設計情報と、前記設計情報に関係する情報であり、かつ前記建物の施工に関する情報である施工情報の何れか一方の変更指示を変更内容と共に入力し、入力した変更指示により変更対象とされている前記設計情報及び前記施工情報の何れか一方の情報を当該変更指示と共に入力された前記変更内容に応じて変更する一方、入力した変更指示により変更対象とされている前記設計情報及び前記施工情報の他方の情報で、かつ当該変更指示による変更に連動して変更する必要のある変更対象情報を特定し、特定した変更対象情報の変更後の情報を導出して、導出した情報に前記変更対象情報を変更しているので、一部の情報に変更が生じた場合に当該情報に関係する情報を簡易に整合させることができる。
【００１２】
なお、本発明は、請求項２に記載の発明のように、前記記憶手段が、前記変更指示による変更に連動した前記変更対象情報に対する変更手順を示す変更手順情報が更に予め記憶されたものであり、前記導出手段が、前記変更手順情報に基づいて前記変更後の情報を導出するものとしてもよい。これにより、前記変更後の情報を容易に導出することができる。
【００１３】
また、本発明は、請求項３に記載の発明のように、前記設計情報及び前記施工情報の少なくとも一方が、前記建物を構成する画像を示す建物画像情報及び前記建物を建築する際に用いる資機材の画像を示す資機材画像情報の少なくとも一方を含むものとしてもよい。これにより、これらの画像情報を処理対象とすることができる。
【００１４】
特に、請求項３に記載の発明は、請求項４に記載の発明のように、前記建物画像情報及び前記資機材画像情報が、３次元画像情報であるものとしてもよい。これにより、建物を構成する画像を示す３次元画像情報及び建物を建築する際に用いる資機材の画像を示す３次元画像情報を処理対象とすることができる。
【００１５】
また、本発明は、請求項５に記載の発明のように、前記施工情報が、前記建物を建築する際の工程を示す工程情報を含むものとしてもよい。これにより、工程情報を処理対象とすることができる。
【００１６】
また、本発明は、請求項６に記載の発明のように、前記連動変更手段により変更された前記設計情報又は前記施工情報に基づいて、変更後の前記建物の状態を示す状態情報を表示する表示手段を更に備えたものとしてもよい。これにより、変更後の建物の状態を容易に把握させることができる。なお、上記表示手段による表示には、各種ディスプレイ装置による可視表示の他、プリンタ等による永久可視表示、スピーカ等による可聴表示が含まれる。
【００１７】
更に、請求項６に記載の発明は、請求項７に記載の発明のように、前記表示手段が、前記変更指示及び前記変更内容を入力するための予め定められた画像を更に表示するものであるものとしてもよい。これにより、利便性を向上させることができる。
【００１８】
一方、上記目的を達成するために、請求項８記載の建物情報連携方法は、記憶手段に予め記憶された建物の設計に関する情報である設計情報と、前記設計情報に関係する情報であり、かつ前記建物の施工に関する情報である施工情報の何れか一方の変更指示を変更内容と共に入力する入力段階と、前記入力段階によって前記変更指示が入力された場合に、当該変更指示により変更対象とされている前記設計情報及び前記施工情報の何れか一方の情報を当該変更指示と共に入力された前記変更内容に応じて変更する指示変更段階と、前記入力段階によって前記変更指示が入力された場合に、当該変更指示により変更対象とされている前記設計情報及び前記施工情報の他方の情報で、かつ当該変更指示による変更に連動して変更する必要のある変更対象情報を特定する特定段階と、前記特定段階により特定された変更対象情報の変更後の情報を導出する導出段階と、前記導出段階によって導出された情報に前記変更対象情報を変更する連動変更段階と、を有するものである。
【００１９】
従って、請求項８記載の建物情報連携方法によれば、請求項１記載の発明と同様に作用するので、請求項１記載の発明と同様に、一部の情報に変更が生じた場合に当該情報に関係する情報を簡易に整合させることができる。
【００２０】
なお、請求項８記載の発明は、請求項９に記載の発明のように、前記設計情報及び前記施工情報の少なくとも一方が、前記建物を構成する画像を示す建物画像情報及び前記建物を建築する際に用いる資機材の画像を示す資機材画像情報の少なくとも一方を含むものとしてもよい。これにより、これらの画像情報を処理対象とすることができる。
【００２１】
一方、上記目的を達成するために、請求項１０記載の建物情報連携プログラムは、記憶手段に予め記憶された建物の設計に関する情報である設計情報と、前記設計情報に関係する情報であり、かつ前記建物の施工に関する情報である施工情報の何れか一方の変更指示を変更内容と共に入力する入力ステップと、前記入力ステップによって前記変更指示が入力された場合に、当該変更指示により変更対象とされている前記設計情報及び前記施工情報の何れか一方の情報を当該変更指示と共に入力された前記変更内容に応じて変更する指示変更ステップと、前記入力ステップによって前記変更指示が入力された場合に、当該変更指示により変更対象とされている前記設計情報及び前記施工情報の他方の情報で、かつ当該変更指示による変更に連動して変更する必要のある変更対象情報を特定する特定ステップと、前記特定ステップにより特定された変更対象情報の変更後の情報を導出する導出ステップと、前記導出ステップによって導出された情報に前記変更対象情報を変更する連動変更ステップと、をコンピュータに実行させるものである。
【００２２】
従って、請求項１０記載の建物情報連携プログラムによれば、コンピュータに対して請求項１記載の発明と同様に作用させることができるので、請求項１記載の発明と同様に、一部の情報に変更が生じた場合に当該情報に関係する情報を簡易に整合させることができる。
【００２３】
なお、請求項１０記載の発明は、請求項１１に記載の発明のように、前記設計情報及び前記施工情報の少なくとも一方が、前記建物を構成する画像を示す建物画像情報及び前記建物を建築する際に用いる資機材の画像を示す資機材画像情報の少なくとも一方を含むものとしてもよい。これにより、これらの画像情報を処理対象とすることができる。
【発明の効果】
【００２４】
本発明によれば、記憶手段に予め記憶された建物の設計に関する情報である設計情報と、前記設計情報に関係する情報であり、かつ前記建物の施工に関する情報である施工情報の何れか一方の変更指示を変更内容と共に入力し、入力した変更指示により変更対象とされている前記設計情報及び前記施工情報の何れか一方の情報を当該変更指示と共に入力された前記変更内容に応じて変更する一方、入力した変更指示により変更対象とされている前記設計情報及び前記施工情報の他方の情報で、かつ当該変更指示による変更に連動して変更する必要のある変更対象情報を特定し、特定した変更対象情報の変更後の情報を導出して、導出した情報に前記変更対象情報を変更しているので、一部の情報に変更が生じた場合に当該情報に関係する情報を簡易に整合させることができる、という効果が得られる。
【発明を実施するための最良の形態】
【００２５】
以下、図面を参照して、本発明を実施するための最良の形態について詳細に説明する。
【００２６】
まず、図１及び図２を参照して、本発明が適用された建物情報連携装置１０の構成を説明する。
【００２７】
図１に示すように、本実施の形態に係る建物情報連携装置１０は、本装置の全体的な動作を制御する制御部１２と、ユーザからの各種情報等の入力に使用するキーボード１４及びマウス１６と、本装置による処理結果や各種メニュー画面、メッセージ等を表示するディスプレイ１８と、を含んで構成されている。すなわち、本実施の形態に係る建物情報連携装置１０は、汎用のパーソナル・コンピュータにより構成されている。
【００２８】
次に、図２を参照して、本実施の形態に係る建物情報連携装置１０の電気系の要部構成を説明する。
【００２９】
同図に示すように、建物情報連携装置１０は、建物情報連携装置１０全体の動作を司るＣＰＵ（中央処理装置）２２と、ＣＰＵ２２による各種プログラムの実行時のワークエリア等として用いられるＲＡＭ２４と、各種制御プログラムや各種パラメータ等が予め記憶されたＲＯＭ２６と、各種情報を記憶するために用いられるハードディスク２８と、前述のキーボード１４、マウス１６、及びディスプレイ１８と、外部に接続された装置との間の各種情報の授受を司る外部インタフェース３０等がシステムバスＢＵＳにより電気的に相互に接続されて構成されている。なお、外部インタフェース３０にはプリンタ５０（図１では図示省略。）が接続されている。
【００３０】
従って、ＣＰＵ２２は、ＲＡＭ２４、ＲＯＭ２６、及びハードディスク２８に対するアクセス、キーボード１４及びマウス１６を介した各種情報の取得、ディスプレイ１８に対する各種情報の表示、及び外部インタフェース３０を介したプリンタ５０による各種情報の印刷、を各々行うことができる。
【００３１】
図３には、建物情報連携装置１０に備えられたハードディスク２８の主な記憶内容が模式的に示されている。同図に示すように、ハードディスク２８には、各種データベースを記憶するためのデータベース領域ＤＴと、各種処理を行うためのプログラムを記憶するためのプログラム領域ＰＧと、が設けられている。
【００３２】
ここで、プログラム領域ＰＧには、建物の設計を行う際に利用されるＣＡＤ（Computer Aided Design）用のアプリケーション・プログラムである設計ＣＡＤプログラムと、建物の施工計画を行う際に利用されるＣＡＤ用のアプリケーション・プログラムである施工ＣＡＤプログラムと、建物の施工を行う際の工程を示す工程表を作成する際に利用されるアプリケーション・プログラムである工程表作成プログラムが記憶されている。
【００３３】
また、データベース領域ＤＴには、設計ＣＡＤデータベースＤＴ１、施工ＣＡＤデータベースＤＴ２、工程表データベースＤＴ３、建物モデルデータベースＤＴ４、及び処理手順データベースＤＴ５の５種類のデータベースが含まれている。
【００３４】
本実施の形態に係る設計ＣＡＤデータベースＤＴ１は、上記設計ＣＡＤプログラムにより構築されるデータベースであり、一例として図４に模式的に示されるように、建物情報連携装置１０で対象としている建物を識別するために当該建物毎に予め付与された建物ＩＤ（Identification）が記憶されると共に、対応する建物の各階毎に、部位、通り芯、寸法、及び仕様の各情報が記憶されるものとされている。
【００３５】
なお、上記部位は、対応する階に設けられる部位を特定するための情報であり、上記通り芯は、対応する部位の通り芯上の位置を示す情報である。また、上記寸法は、対応する部位の３次元寸法を示す情報であり、上記仕様は、対応する部位の仕様を示す情報である。
【００３６】
一方、本実施の形態に係る施工ＣＡＤデータベースＤＴ２は、上記施工ＣＡＤプログラムにより構築されるデータベースであり、一例として図５に模式的に示されるように、上記設計ＣＡＤデータベースＤＴ１と同様の建物ＩＤが建物毎に記憶されると共に、対応する建物の各階毎に、部位、通り芯、寸法、構工法、工区、仮設、及び施工数量の各情報が記憶されるものとされている。
【００３７】
なお、上記部位、通り芯、及び寸法は、上記設計ＣＡＤデータベースＤＴ１と同様の情報である。また、上記構工法は、対応する部位に対する工法を示す情報であり、上記工区は、対応する部位が位置される工区を示す情報である。また、上記仮設は、対応する部位を施工する際に用いる資機材を示す情報であり、上記施工数量は、対応する部位の施工に用いられる材料の量を示す情報である。なお、上記資機材を示す情報には、当該資機材の３次元画像を示す３次元画像情報が含まれる。
【００３８】
一方、本実施の形態に係る工程表データベースＤＴ３は、上記工程表作成プログラムにより構築されるデータベースであり、一例として図６に模式的に示されるように、上記設計ＣＡＤデータベースＤＴ１と同様の建物ＩＤが建物毎に記憶されると共に、対応する建物の各階毎に、部位、工区、工程、施工数量、労務、及び施工日数の各情報が記憶されるものとされている。
【００３９】
なお、上記部位、工区、及び施工数量は、上記施工ＣＡＤデータベースＤＴ２と同様の情報である。また、上記工程は、対応する部位を施工する際のタクト工程を特定するための情報であり、上記労務は、対応する部位を施工するために必要とされる人員数を示す情報であり、上記施工日数は、対応する部位を施工するために必要とされる期間を示す情報である。
【００４０】
一方、本実施の形態に係る建物モデルデータベースＤＴ４は、一例として図７に模式的に示されるように、他のデータベースと同様の建物ＩＤと３次元ＣＡＤデータとが上記建物毎に記憶されるものとされている。
【００４１】
ここで、上記３次元ＣＡＤデータは、対応する建物の任意のビュー・ポイントからの３次元画像を表示することのできるデータである。なお、３次元ＣＡＤデータは従来既知のデータであるので、これ以上のここでの説明は省略する。
【００４２】
一方、本実施の形態に係る処理手順データベースＤＴ５は、後述する情報更新処理プログラムにより用いられるデータベースであり、一例として図８に模式的に示されるように、変更種別、変更対象、変更内容、及び連動処理手順の各情報が記憶されるものとされている。
【００４３】
ここで、上記変更種別は、情報更新処理プログラムの実行によりユーザによって変更された情報の種別を示す情報である。なお、本実施の形態に係る建物情報連携装置１０では、ユーザによって変更可能とされている情報の種別として、設計ＣＡＤデータベースＤＴ１に登録されている情報（以下、「設計ＣＡＤ情報」という。）と、施工ＣＡＤデータベースＤＴ２に登録されている情報（以下、「施工ＣＡＤ情報」という。）の２種類を適用している。
【００４４】
また、上記変更対象は、情報更新処理プログラムの実行時においてユーザにより変更対象とされた情報を示す情報であり、上記変更内容は、ユーザによる変更後の情報を示す情報であり、連動処理情報は、対応する変更内容に連動して変更する情報と、その処理内容を示す情報である。同図に示す例では、例えば、変更内容が‘プレキャスト架構’への変更であった場合には、構工法情報を工場プレキャストに変更し、仮設情報に対して重機、外周足場を削減するように変更すると共に、型枠、支保工を省略するように変更し、更に、工程情報に対してタクト工程及び施工数量をプレキャスト架構用のものに変更すると共に、当該変更後の情報を用いて工程の再計算を行うように上記工程表作成プログラムを実行させることを示している。
【００４５】
次に、図９を参照して、本実施の形態に係る建物情報連携装置１０の作用を説明する。なお、図９は、ユーザにより、設計ＣＡＤ情報及び施工ＣＡＤ情報の何れかの情報を変更する際に、キーボード１４やマウス１６等を介した実行指示に応じて建物情報連携装置１０のＣＰＵ２２により実行される情報更新処理プログラムの処理の流れを示すフローチャートであり、当該プログラムはハードディスク２８のプログラム領域ＰＧに予め記憶されている。また、ここでは、錯綜を回避するために、設計ＣＡＤデータベースＤＴ１、施工ＣＡＤデータベースＤＴ２、工程表データベースＤＴ３、建物モデルデータベースＤＴ４、及び処理手順データベースＤＴ５の各データベースが予め構築されている場合について説明する。
【００４６】
まず、同図のステップ１００では、予め定められた情報種別選択画面をディスプレイ１８に表示し、次のステップ１０２にて、所定情報の入力待ちを行う。
【００４７】
図１０には、上記ステップ１００の処理によってディスプレイ１８に表示される情報種別選択画面の表示状態例が示されている。同図に示すように、本実施の形態に係る情報種別選択画面では、変更対象とする情報の種別の指定を促すメッセージが表示されると共に、選択可能な情報を示す「設計ＣＡＤ情報」及び「施工ＣＡＤ情報」が、選択時に指定される円形枠と共に表示される。同図に示されるような情報種別選択画面がディスプレイ１８により表示されると、ユーザは、マウス１６による操作により、変更したい情報が設計ＣＡＤデータベースＤＴ１に登録されている情報である場合は「設計ＣＡＤ情報」に対応する円形枠内をポインティング指定する一方、変更したい情報が施工ＣＡＤデータベースＤＴ２に登録されている情報である場合は「施工ＣＡＤ情報」に対応する円形枠内をポインティング指定する。これに応じて、上記ステップ１０２が肯定判定となってステップ１０４に移行する。
【００４８】
ステップ１０４では、予め定められた情報変更画面をディスプレイ１８に表示し、次のステップ１０６にて、所定情報の入力待ちを行う。
【００４９】
図１１には、上記ステップ１０４の処理によってディスプレイ１８に表示される情報変更画面の表示状態例が示されている。同図に示すように、本実施の形態に係る情報変更画面では、情報の変更を促すメッセージが表示されると共に、変更可能とする情報の名称が変更後の情報を入力するための矩形枠と共に表示される。なお、当該矩形枠には、その時点で対応するデータベースに登録されている情報がデフォルトとして表示される。また、同図では、上記情報種別選択画面で「設計ＣＡＤ情報」が指定された場合の情報変更画面の一例が示されているが、情報種別選択画面で「施工ＣＡＤ情報」が指定された場合には、施工ＣＡＤデータベースＤＴ２で登録されている情報を変更することのできる画面が情報変更画面として表示されることになる。
【００５０】
同図に示されるような情報変更画面がディスプレイ１８により表示されると、ユーザは、マウス１６による操作により、変更したい情報に対応する矩形枠をポインティング指定した後、キーボード１４にて変更後の情報を当該矩形枠に入力する。そして、ユーザは、全ての変更したい情報の変更後の情報の入力が終了すると、当該情報変更画面の最下に表示されている終了ボタンをマウス１６にてポインティング指定する。これに応じて、上記ステップ１０６が肯定判定となってステップ１０８に移行する。
【００５１】
ステップ１０８では、ユーザにより情報変更画面上で変更された情報が登録されているデータベース（ここでは、設計ＣＡＤデータベースＤＴ１又は施工ＣＡＤデータベースＤＴ２）に対し、ユーザにより情報変更画面上で入力された情報に変更対象とされた情報を更新する。
【００５２】
次のステップ１１０では、処理手順データベースＤＴ５を参照して、ユーザにより変更したい情報として指定された情報に対応すると共に、ユーザにより入力された変更後の情報に対応する、当該変更に連動して実行する何らかの処理が記憶されている情報を特定することにより、ユーザによる情報の変更に連動して変更する必要のある情報を特定し、次のステップ１１２では、特定した情報に対応する連動処理手順情報を処理手順データベースＤＴ５から読み出し、更に、次のステップ１１４にて、読み出した連動処理手順情報に応じた処理を実行する。
【００５３】
ここで、本ステップ１１４では、例えば、ユーザにより入力された変更後の情報がプレキャスト架構であった場合には、施工ＣＡＤデータベースＤＴ２における構工法情報を工場プレキャストに変更し、仮設情報に対して重機、外周足場を削減するように変更すると共に、型枠、支保工を省略するように変更し、更に、工程表データベースＤＴ３における工程情報に対してタクト工程及び施工数量をプレキャスト架構用のものに変更すると共に、当該変更後の情報を用いて工程の再計算を行うように上記工程表作成プログラムを実行させることになる。
【００５４】
次のステップ１１６では、以上の処理により、連動して変更された情報を含む変更後の情報（以下、単に「変更情報」という。）を示す連動結果表示画面をディスプレイ１８により表示し、その後に本情報更新処理プログラムを終了する。
【００５５】
図１２には、上記ステップ１１６の処理によってディスプレイ１８に表示される連動結果表示画面の表示状態例が示されている。同図に示すように、本実施の形態に係る連動結果表示画面では、施工ＣＡＤデータベースＤＴ２の仮設情報を用いて、処理対象とする建物の仮設状態を示す３次元画像を表示すると共に上記変更情報を表示する。なお、この際、連動して変更された情報が資機材の３次元画像を示す情報である場合には、当該資機材を示す画像が変更された状態で表示されることになる。従って、ユーザは、当該連動結果表示画面を参照することにより、自身が変更した情報及び当該変更に連動して変更された情報を容易に把握することができる。
【００５６】
以上詳細に説明したように、本実施の形態では、記憶手段（ここでは、ハードディスク２８）に予め記憶された建物の設計に関する情報である設計情報（ここでは、設計ＣＡＤデータベースＤＴ１に登録されている情報）と、前記設計情報に関係する情報であり、かつ前記建物の施工に関する情報である施工情報（ここでは、施工ＣＡＤデータベースＤＴ２、工程表データベースＤＴ３、及び建物モデルデータベースＤＴ４に登録されている情報）の何れか一方の変更指示を変更内容と共に入力し、入力した変更指示により変更対象とされている前記設計情報及び前記施工情報の何れか一方の情報を当該変更指示と共に入力された前記変更内容に応じて変更する一方、入力した変更指示により変更対象とされている前記設計情報及び前記施工情報の他方の情報で、かつ当該変更指示による変更に連動して変更する必要のある変更対象情報を特定し、特定した変更対象情報の変更後の情報を導出して、導出した情報に前記変更対象情報を変更しているので、一部の情報に変更が生じた場合に当該情報に関係する情報を簡易に整合させることができる。
【００５７】
また、本実施の形態では、前記記憶手段が、前記変更指示による変更に連動した前記変更対象情報に対する変更手順を示す変更手順情報（ここでは、処理手順データベースＤＴ５の連動処理手順情報）が更に予め記憶されたものであり、前記変更手順情報に基づいて前記変更後の情報を導出するものとしているので、前記変更後の情報を容易に導出することができる。
【００５８】
また、本実施の形態では、前記施工情報が、前記建物を構成する画像を示す建物画像情報（ここでは、建物モデルデータベースＤＴ４の３次元ＣＡＤデータ）及び前記建物を建築する際に用いる資機材の画像を示す資機材画像情報（ここでは、施工ＣＡＤデータベースＤＴ２の仮設情報（資機材情報））を含むものとしているので、これらの画像情報を処理対象とすることができる。
【００５９】
特に、本実施の形態では、前記建物画像情報及び前記資機材画像情報が、３次元画像情報であるものとしているので、建物を構成する画像を示す３次元画像情報及び建物を建築する際に用いる資機材の画像を示す３次元画像情報を処理対象とすることができる。
【００６０】
また、本実施の形態では、前記施工情報が、前記建物を建築する際の工程を示す工程情報（ここでは、工程表データベースＤＴ３に登録されている情報）を含むものとしているので、工程情報を処理対象とすることができる。
【００６１】
また、本実施の形態では、連動して変更された前記設計情報又は前記施工情報に基づいて、変更後の前記建物の状態を示す状態情報を表示手段（ここでは、ディスプレイ１８）により表示しているので、変更後の建物の状態を容易に把握させることができる。
【００６２】
以上、本発明を実施の形態を用いて説明したが、本発明の技術的範囲は上記実施の形態に記載の範囲には限定されない。本発明の要旨を逸脱しない範囲で上記実施の形態に多様な変更または改良を加えることができ、そのような変更または改良を加えた形態も本発明の技術的範囲に含まれる。
【００６３】
また、上記の実施の形態は、クレーム（請求項）にかかる発明を限定するものではなく、また実施の形態の中で説明されている特徴の組合せの全てが発明の解決手段に必須であるとは限らない。上記の実施の形態には種々の段階の発明が含まれており、開示される複数の構成要件における適宜の組合せにより種々の発明を抽出できる。上記の実施の形態に示される全構成要件から幾つかの構成要件が削除されても、効果が得られる限りにおいて、この幾つかの構成要件が削除された構成が発明として抽出され得る。
【００６４】
例えば、上記実施の形態で説明した建物情報連携装置１０の構成（図１〜図３参照。）は一例であり、本発明の主旨を逸脱しない範囲内で適宜変更可能であることは言うまでもない。例えば、建物情報連携装置１０に接続したプリンタ５０は必須ではなく、削除することもできる。
【００６５】
また、上記実施の形態では、変更する情報を入力させる際の画面構成として、一例として図１１に示すような情報変更画面が表示されるものとした場合について説明したが、本発明はこれに限定されるものではなく、例えば、一例として図１２に示されるように、施工ＣＡＤデータベースＤＴ２の仮設情報を用いて、処理対象とする建物の仮設状態を示す３次元画像を表示すると共に、変更する情報を入力するためのメニュー画面を表示する形態とすることもできる。
【００６６】
この場合、表示した３次元画像に対して、マウス１６にて変更する部位をポインティング指定させ、これにより指定された位置に対応する部位を変更対象とする部位であるものとして特定し、当該部位に関して設計ＣＡＤデータベースＤＴ１や施工ＣＡＤデータベースＤＴ２に登録されている情報を変更することのできるメニュー画面をディスプレイ１８にて表示し、当該メニュー画面により変更対象とする情報の変更後の情報を入力させるようにすることもできる。この場合、仮設状態を示す３次元画像に対するポインティング指定により、変更対象とする部位を指定することができるので、上記実施の形態に比較して、より利便性や操作性を向上させることができる。
【００６７】
また、上記実施の形態では、前記建物を構成する画像を示す建物画像情報（ここでは、建物モデルデータベースＤＴ４の３次元ＣＡＤデータ）及び前記建物を建築する際に用いる資機材の画像を示す資機材画像情報（ここでは、施工ＣＡＤデータベースＤＴ２の仮設情報（資機材情報））を施工情報に含めた場合について説明したが、本発明はこれに限定されるものではなく、例えば、設計情報に含める形態とすることもできる。この場合も、上記実施の形態と同様の効果を奏することができる。
【００６８】
また、上記実施の形態では、本発明の表示手段としてディスプレイ１８を適用した場合について説明したが、本発明はこれに限定されるものではなく、例えば、プリンタ５０を適用する形態とすることもできる。この場合、変更後の建物の状態を示す状態情報をプリンタ５０により印刷することになる。この場合も、上記実施の形態と同様の効果を奏することができる。
【００６９】
また、上記実施の形態では、ユーザにより直接変更することのできる情報として、設計ＣＡＤ情報及び施工ＣＡＤ情報の２種類の情報を適用した場合について説明したが、本発明はこれに限定されるものではなく、例えば、これらの情報に加えて、工程表データベースＤＴ３に登録されている情報を適用する形態とすることもできる。この場合、工程表データベースＤＴ３に登録されている何れかの情報がユーザによって変更された場合に、これに連動して設計ＣＡＤ情報及び施工ＣＡＤ情報の少なくとも一方の情報が変更されることになる。この場合も、上記実施の形態と同様の効果を奏することができる。
【００７０】
また、上記実施の形態では、適用した各データベースの種別については特に言及しなかったが、文字列の他、画像情報、音声情報等のマルチメディア情報、他のオブジェクトへのリンク情報、データの変更手続き等を格納することのできるオブジェクト指向データベースを適用することが好ましい。これにより、本発明を容易に実現することができる。
【００７１】
また、上記実施の形態で示した各種データベースのデータ構造（図４〜図８参照。）も一例であり、必要に応じて記憶する項目を追加したり、不要な項目を削除したりすることができることは勿論のこと、各項目の記憶内容も適宜変更可能であることは言うまでもない。
【００７２】
また、上記実施の形態で示した情報更新処理プログラムの処理の流れ（図９参照。）も一例であり、本発明の主旨を逸脱しない範囲内で、処理順序を変えたり、不用なステップを削除したり、新たなステップを追加したりすることができることは言うまでもない。
【００７３】
更に、上記実施の形態で示した各種画面の構成（図１０〜図１２参照。）も一例であり、本発明の主旨を逸脱しない範囲内において適宜変更可能であることは言うまでもない。
【図面の簡単な説明】
【００７４】
【図１】実施の形態に係る建物情報連携装置の外観を示す斜視図である。
【図２】実施の形態に係る建物情報連携装置の電気系の要部構成を示すブロック図である。
【図３】実施の形態に係る建物情報連携装置に備えられたハードディスクの主な記憶内容を示す模式図である。
【図４】実施の形態に係る設計ＣＡＤデータベースのデータ構造を示す模式図である。
【図５】実施の形態に係る施工ＣＡＤデータベースのデータ構造を示す模式図である。
【図６】実施の形態に係る工程表データベースのデータ構造を示す模式図である。
【図７】実施の形態に係る建物モデルデータベースのデータ構造を示す模式図である。
【図８】実施の形態に係る処理手順データベースのデータ構造を示す模式図である。
【図９】実施の形態に係る情報更新処理プログラムの処理の流れを示すフローチャートである。
【図１０】実施の形態に係る情報種別選択画面の画面構成を示す概略図である。
【図１１】実施の形態に係る情報変更画面の画面構成を示す概略図である。
【図１２】実施の形態に係る連動結果表示画面の画面構成を示す概略図である。
【符号の説明】
【００７５】
１０    建物情報連携装置
１４    キーボード（入力手段）
１６    マウス（入力手段）
１８    ディスプレイ（表示手段）
２２    ＣＰＵ（指示変更手段、特定手段、導出手段、連動変更手段）
２８    ハードディスク（記憶手段）
５０    プリンタ（表示手段）
【図１】
2008009845.tif 000003
【図２】
2008009845.tif 000004
【図３】
2008009845.tif 000005
【図４】
2008009845.tif 000006
【図５】
2008009845.tif 000007
【図６】
2008009845.tif 000008
【図７】
2008009845.tif 000009
【図８】
2008009845.tif 000010
【図９】
2008009845.tif 000011
【図１０】
2008009845.tif 000012
【図１１】
2008009845.tif 000013
【図１２】
2008009845.tif 000014